(57)【要約】【課題】  光を直視することを防いだり、塵が内部に侵入することを防ぐことができる安価な光コンセントを提供する。【解決手段】  造営構造物の外面に設けた取付孔内に設置されて開口を有するボディ１と、ボディ１の開口に開閉自在に枢着されて造営構造物の室内側にある通信設備からの光ファイバーケーブルの先端に設けられたＳＣ形プラグが挿通するプラグ挿入口２３ａを形成されたカバー２と、カバー２に取り付けられてＳＣ形プラグと屋外から引き込まれた光ファイバケーブルの先端に設けられたＭＵ形プラグとを光学的に結合した状態で保持する汎用のアダプタ３と、プラグ挿入口２３ａに対向してカバー２に取り付けられプラグ挿入口２３ａを開閉自在に閉塞する保護扉８２、およびプラグ挿入口２３ａを閉じる方向へ保護扉８２を弾性付勢する復帰ばね８３を具備するシャッターブロック８とを備える。【選択図】図１
2006106635.tif 000002
【特許請求の範囲】
【請求項１】
造営構造物の外面に設けた取付孔内に設置されて開口を有するボディと、ボディの開口に開閉自在に枢着されて造営構造物の室内側にある通信設備からの光ファイバーケーブルの先端に設けられた第１のプラグが挿通するプラグ挿入口を形成されたカバーと、カバーに取り付けられて第１のプラグと屋外から引き込まれた光ファイバケーブルの先端に設けられた第２のプラグとを光学的に結合した状態で保持する汎用のアダプタと、プラグ挿入口に対向してカバーに取り付けられプラグ挿入口を開閉自在に閉塞する扉体、およびプラグ挿入口を閉じる方向へ扉体を弾性付勢する復帰ばねを具備するシャッター部とを備えることを特徴とする光コンセント。
【請求項２】
造営構造物の外面に設置されて、造営構造物の室内側にある通信設備からの光ファイバーケーブルの先端に設けられた第１のプラグが挿通するプラグ挿入口を形成された外郭と、外郭内に収容されて第１のプラグと屋外から引き込まれた光ファイバケーブルの先端に設けられた第２のプラグとを光学的に結合した状態で保持する汎用のアダプタと、プラグ挿入口に対向してプラグ挿入口を開閉自在に閉塞する扉体、およびプラグ挿入口を閉じる方向へ扉体を弾性付勢する復帰ばねを具備するシャッター部とを備えることを特徴とする光コンセント。
【発明の詳細な説明】
【技術分野】
【０００１】
本発明は、先端に光コネクタを有する光ファイバケーブルを接続する光コンセントに関するものである。
【背景技術】
【０００２】
最近、光ファイバーケーブルを用いた光通信による情報伝送が行われており、屋外から引き込まれた光ファイバケーブルに造営構造物の室内側にある通信設備を接続するためには、壁面や、壁面に設けた取付孔内に設置した光コンセントが使用される。この光コンセントは、光ファイバーケーブル同士を光学的に結合した状態で保持するアダプタを外郭内に収納して構成されており、このアダプタを介して、屋外から引き込まれた光ファイバケーブルと造営構造物の室内側にある通信設備からの光ファイバーケーブルとを光学的に結合させている。（例えば、特許文献１参照）。
【０００３】
アダプタには、結合する各光ファイバーケーブルの先端に接続されたプラグを各々挿入するプラグ接続部が形成されており、このプラグ接続部を開閉自在に閉塞する保護扉をアダプタ本体に予め設けて、プラグが挿入されていないときは保護扉によってプラグ接続部を閉塞してプラグ接続部から出射される光を直視することを防いだり、塵が内部に侵入することを防いでいるアダプタがある。
【特許文献１】特開平１−２９７６０４号公報（第２頁左下段３行〜第４頁左下段９行、図１〜図７）
【発明の開示】
【発明が解決しようとする課題】
【０００４】
従来、光コンセントから出射される光を直視することを防いだり、塵が内部に侵入することを防ぐためには、アダプタ本体にプラグ接続部の保護扉を予め設けた高価な専用のアダプタを用いなければならず、安価な汎用のアダプタを用いることができなかった。そのため、コストアップの原因となっていた。
【０００５】
本発明は、上記事由に鑑みてなされたものであり、その目的は、光を直視することを防いだり、塵が内部に侵入することを防ぐことができる安価な光コンセントを提供することにある。
【課題を解決するための手段】
【０００６】
請求項１の発明は、造営構造物の外面に設けた取付孔内に設置されて開口を有するボディと、ボディの開口に開閉自在に枢着されて造営構造物の室内側にある通信設備からの光ファイバーケーブルの先端に設けられた第１のプラグが挿通するプラグ挿入口を形成されたカバーと、カバーに取り付けられて第１のプラグと屋外から引き込まれた光ファイバケーブルの先端に設けられた第２のプラグとを光学的に結合した状態で保持する汎用のアダプタと、プラグ挿入口に対向してカバーに取り付けられプラグ挿入口を開閉自在に閉塞する扉体、およびプラグ挿入口を閉じる方向へ扉体を弾性付勢する復帰ばねを具備するシャッター部とを備えることを特徴とする。
【０００７】
この発明によれば、汎用のアダプタにシャッターブロックを組み合わせることで、プラグ挿入口から出射される光の直視防止や、塵の内部への侵入防止を安価に実現することができる。
【０００８】
請求項２の発明は、造営構造物の外面に設置されて、造営構造物の室内側にある通信設備からの光ファイバーケーブルの先端に設けられた第１のプラグが挿通するプラグ挿入口を形成された外郭と、外郭内に収容されて第１のプラグと屋外から引き込まれた光ファイバケーブルの先端に設けられた第２のプラグとを光学的に結合した状態で保持する汎用のアダプタと、プラグ挿入口に対向してプラグ挿入口を開閉自在に閉塞する扉体、およびプラグ挿入口を閉じる方向へ扉体を弾性付勢する復帰ばねを具備するシャッター部とを備えることを特徴とする。
【０００９】
この発明によれば、汎用のアダプタにシャッターブロックを組み合わせることで、プラグ挿入口から出射される光の直視防止や、塵の内部への侵入防止を安価に実現することができる。
【発明の効果】
【００１０】
以上説明したように、本発明では、汎用のアダプタにシャッターブロックを組み合わせるので、光を直視することを防いだり、塵が内部に侵入することを防ぐことができる安価な光コンセントを提供することができるという効果がある。
【発明を実施するための最良の形態】
【００１１】
以下、本発明の実施の形態を図面に基づいて説明する。
【００１２】
（実施形態１）
本発明の実施形態１を図１〜図１０に基づいて説明する。尚、実施形態１の説明では特に断りがないかぎり、図３（ａ）に示す向きにおいて上下左右の方向を規定し、同図（ａ）中の正面を前面とする。したがって、同図（ｂ）における左端は後端となる。
【００１３】
本実施形態の光コンセントＡは、図１、図２、及び図７に示すように、埋込配線器具用にＪＩＳで規格化された取付枠１００を用いて造営材に埋込配設されるボディ１、及び、ボディ１の前面に設けた開口１ａ内に開閉自在に枢着されるカバー２からなるコンセント本体と、カバー２の背面側に取着されるアダプタ３、シャッターブロック（シャッター部）８と、アダプタ３、シャッターブロック８をカバー２に固定する押さえ金具４と、ボディ１の背面側に装着されて光ファイバケーブルの張力止めを行う張力止め具５とを主要な構成として備える。
【００１４】
ボディ１は、左右および上下の四方が周壁１１ａ，１１ａ，１１ｂ，１１ｃによって囲まれ、上側の略半分を前後方向に開口し、下側の略半分には背部１１ｄを一体形成した合成樹脂成型体からなり、左右の周壁１１ａ，１１ａの前側部には前端側の幅寸法を後端側の幅寸法よりも幅狭とする段部１１ｅ，１１ｅが形成されている。各段部１１ｅの外側縁の上下位置には、後述する合成樹脂製取付枠１００の係止部１０８ａに係止させるための各一対の被係止爪１２ａをそれぞれ一体形成し、段部１１ｅよりも前側の周壁１１ａの外側面には、金属製取付枠（図示せず）の係止爪に係止させるための２個の係合穴１２ｂが上下両側に開口している。
【００１５】
また上側の周壁１１ｂの前面部には心棒２８を回動自在に支持する軸受部１３を前方へ突出形成してあり（図１及び図６参照）、周壁１１ｂの後側部にはアダプタ３に接続されるプラグ（図示せず）を挿入するためのＵ字形の切欠１１ｆを形成してある。一方、下側の周壁１１ｃの前端部の左右両側には間隔を空けて突出部１４を膨出形成し、この突出部１４，１４の間に背部１１ｄの下端から前方に延長形成した可撓片１５ａの先部に設けた押しボタン１５を介在させるとともに、この押しボタン１５の操作面と突出部１４，１４の前面とを略同一高さとしてある。また、この押しボタン１５と可撓片１５ａの境界部には、カバー２の下端部中央に突設した係止突片２０ａおよび押さえ金具４の係止突片４５をそれぞれ係脱自在に係止する係止孔１５ｂを設けてある。
【００１６】
また、背部１１ｄの背面側からは四角筒状の支持部１７が突出形成され、この支持部１７の左右の側壁には上下両側にスリットを形成することで、厚み方向に可撓性を持たせた弾性係止片１８が形成されている。各弾性係止片１８は支持部１７の後端よりも後方に突出しており、その先端からは外側に向かって係止爪１８ａが突設されている。
【００１７】
カバー２は合成樹脂成形体であって、矩形板状の前面部２０と、この前面部２０の背面両側から後方へ延長形成した略扇形の側部２１，２１と、側部２１，２１の下側部の後縁から後方に突出する脚片２２，２２と、両側部２１，２１の下側辺間に形成された取付部２３と、前面部２０の上端部の左右両側から上方へ突出形成された軸保持部２４，２４とを一体に備える。
【００１８】
ここに、前面部２０の背面側と側部２１，２１と取付部２３とで囲まれる空間部でアダプタ３、シャッターブロック８を収納保持する収納部を構成しており、取付部２３にはシャッターブロック８に対向させて、造営構造物の室内側の通信設備からの光ファイバケーブルの先端に設けられたＳＣ形のプラグが挿入されるプラグ挿入口２３ａが開口している（図５（ｄ）及び図６参照）。
【００１９】
また、軸保持部２４，２４は略円柱状であって、軸方向が左右方向と略平行するように並設されており、各軸保持部２４の中心には心棒２８の両端を支持する軸孔２４ａが貫通形成されている。而して、ボディ１の軸受部１３の軸受凹部１３ａ内にばね体２９を収めるとともに、軸保持部２４，２４間にボディ１の軸受部１３を介在させた後、一方の軸保持部２４の軸孔２４ａ、軸受部１３の軸受凹部１３ａ、他方の軸保持部２４の軸孔２４ａに心棒２８を挿通させることで、カバー２の上端部をボディ１に対して回動自在に枢支するようになっており、ばね体２９によってカバー２の下端側が前方に常時付勢されている。なお、ばね体２９は中央部２９ａをコ字状に折り曲げ形成するとともに、両端部に捻り部２９ｂ，２９ｂを形成して構成される。
【００２０】
また、前面部２０の背面には、アダプタ３、シャッターブロック８の前面とそれぞれ当接する３個の支持リブ２６が側部２１と平行して側部２１，２１間に突出形成されており、各々の支持リブ２６は上側ほど後方への突出量が大きくなるような形状に形成され、さらに各支持リブ２６の下側部にはシャッターブロック８の表面形状に合わせて段部２６ａが形成されている。またカバー２の各脚片２２の後端部からは、ボディ１の左右の周壁１１ａの内側面に突設した突起１１ｇと当接する係合爪２２ａが外向きに突設されている。また各脚片２２には押さえ金具４を固定するためのねじ２７を挿通する挿通孔２２ｂが貫設されている。
【００２１】
一方、アダプタ３は、Ｆ０４形（所謂ＳＣ形）光ファイバコネクタ（ＪＩＳ  Ｃ  ５９７３参照）のプラグ（第１のプラグ）が接続される角筒状のプラグ接続部３１と、このプラグ接続部３１の一端側から延長形成されて、Ｆ１４形（所謂ＭＵ形）光ファイバコネクタ（ＪＩＳ  Ｃ  ５９８３参照）のプラグ（第２のプラグ）が接続される角筒状のプラグ接続部３２とを備えたハウジング３０を有する汎用のアダプタであり、プラグ接続部３１の一端側の左右両側面からは鍔３３，３３が側方に突出している。そして、ハウジング３０の内部には、プラグ接続部３１に接続されるＳＣ形プラグのフェルールと、プラグ接続部３２に接続されるＭＵ形プラグのフェルールとを整列させた状態で保持し、両フェルールを光学的に接続する従来周知のスリーブ（図示せず）が納装されている。このスリーブは、両フェルールをＰＣ（Physical Contact）接続することによって光ファイバ同士を密着させ、低損失で光学的に接続するようになっている。すなわち、アダプタ３は、室内側の通信設備で一般的に使用されるＳＣ形のプラグと、ＳＣ形に比べて小型のＭＵ形のプラグとを光学的に結合した状態で保持する機能を有しており、造営構造物の室内側にある通信設備からの光ファイバケーブルに接続された汎用のＳＣ形プラグをプラグ挿入口２３ａ、シャッターブロック８を通してプラグ接続部３１に接続するとともに、屋外から引き込まれて造営構造物の裏側に先行配線された光ファイバケーブルに接続されている小型のＭＵ形プラグをプラグ接続部３２に接続することができる。また、プラグ接続部３１の一側面には切欠き３１ａが設けられており、プラグ挿入時にはＳＣ形プラグの一側面に設けた突起状のキー部が嵌合する。
【００２２】
押さえ金具４は板金に抜き加工および曲げ加工を施すことによって形成され、アダプタ３のハウジング３０後面と当接する矩形板状の当接片４０と、当接片４０の下部の左右両側縁から後方に向かって突出する支持片４１，４１と、当接片４０の下側縁の中央から斜め下向きに突出してシャッターブロック８のシャッターカバー８１の後面上端と当接する傾斜片４２と、当接片４０の上部の左右両側縁から前方に向かって突出する保護板４３，４３とを一体に形成してある。なお各支持片４１の中間部にはねじ２７が螺合するねじ孔４４が形成され、その先端部はカバー２の脚片２２の後端部裏面（すなわち係合爪２２ａの裏側部）と対向する位置まで延長形成されている。また傾斜片４２の下側縁の中央には、可撓片１５ａの係止孔１５ｂと係止する係止突片４５が下側に向かって突設されている。
【００２３】
張力止め具５は合成樹脂成形体であって、下側の左右の角を丸めた略矩形板状の主部５１と、主部５１の上側縁から延長形成されて上側に凸となるように湾曲したガイド部５２とを一体に備える。そして、主部５１の上側部には後方に突出する円筒状の張力止め部たる引掛突起５３が左右方向に３個並設してあり、各引掛突起５３の後端部の円周面下半分からは略半円形の舌片５３ａが下側に向かって突出している。また主部５１の前面の上下方向略中間部にはボディ１の支持部１７の上側壁および下側壁の内面に当接する突片５４ａ，５４ｂが形成されるとともに、突片５４ａ，５４ｂ間を橋絡する３本の補強用リブ５４ｃが上下方向に沿って形成されており、ボディ１の弾性係止片１８，１８に対応する部位には主部５１を厚み方向に貫通する貫通孔５５，５５が形成されている。
【００２４】
シャッターブロック８は、図９，図１０に示すように、上下方向を開口した略函状に形成されたシャッターカバー８１と、シャッターカバー８１の内部空間に前後方向に対向して取り付けられて開口を開閉自在に閉塞する保護扉（扉体）８２，８２と、開口を閉じる方向へ保護扉８２を弾性付勢する復帰ばね８３，８３とから構成される。
【００２５】
シャッターカバー８１は、前面、後面の各下端近傍が上部より幅狭となる段部８１ａを設け、下端四隅には切欠き部８１ｂが形成されている。保護扉８２は、前後方向に斜面を形成して下方に突出した三角状の山部８２ａ，８２ａを左右に設け、左右の山部８２ａ，８２ａ間を接続する中央部８２ｂは一方の側に前後方向の斜面８２ｄを形成し、山部８２ａ，８２ａの各他方の側には左右方向に延設した軸部８２ｃ，８２ｃを設けて、２つの保護扉８２，８２の各斜面８２ｄ側を前後方向に対向させた状態で、シャッターカバー８１の開口内に取り付けられる。復帰ばね８３は、中央部８３ａをコ字状に折り曲げ形成するとともに、両端部に捻り部８３ｂ、８３ｂを介して延長された延長部８３ｃ，８３ｃを形成して構成される。
【００２６】
そして、捻り部８３を、軸部８２ｃの内側端部に挿通させ、延長部８３ｃを保護扉８２上面に弾接させる。このように復帰ばね８３を組み付けた保護扉８２は、シャッターカバー８１開口内の段部８１ａ両端に設けた凹部８１ｃ（切欠き部８１ｂの裏面側）に軸部８２ｃの外側端部を挿入することで、シャッターカバー８１の開口に対して回動自在に枢支されており、復帰ばね８３の中央部８３ａをシャッターカバー８１の前面または後面に弾接させることによって開口中央側が下方向へ回動する付勢力が与えられている。また、シャッターカバー８１の下部開口８ｂの開口縁上部の左右側辺には、保護扉８２の山部８２ａに対向して三角状の凹部８１ｄが段部８１ａから連続して形成されており、山部８２ａが凹部８１ｄに嵌まることで、保護扉８２の下方向への回動動作を規制している。
【００２７】
そして、このシャッターブロック８の段部８１ａをカバー２のプラグ挿入口２３ａの開口端に上方から嵌合させることで、シャッターブロック８の開口はカバー２のプラグ挿入口２３ａに連通し、保護扉８２がプラグ挿入口２３ａを開閉自在に閉塞することになる。すなわち、シャッターブロック８の上部開口８ａにはアダプタ３のプラグ接続部３１が連通しており、汎用のアダプタ３であってもシャッターブロック８を組み合わせることで、プラグ未挿入時には保護扉８２，８２によってプラグ接続部３１から外部へのレーザ光の漏出や、塵の内部侵入を防止できる。
【００２８】
ところで、上述のボディ１は、ＪＩＳ等で規格化された大角形連用配線器具用の取付枠１００に３個まで並設することができる単位寸法（１個モジュール寸法）の配線器具の３個分の寸法（３個モジュール寸法）に形成されており、取付枠１００を用いて造営構造物に埋込配設することができる。取付枠１００は、図７のように合成樹脂により縦長の窓孔１０１を有する矩形枠状に成形されており、長手方向に対向する側片１０２，１０２には、図示しない埋込ボックスに取り付けるためのボックスねじ用の長孔１０４と、壁面に直接ねじ固定する際に用いるねじ挿通孔１０５とが少なくとも設けてある。また、短幅方向に対向する側片１０３ａ，１０３ｂの内、一方の側片１０３ａには２つで１組となった係止孔（図示せず）が略一定の間隔で長手方向に３組並設され、他方の側片１０３ｂの後縁から撓み片１０６が後方に向かって延設されている。この撓み片１０６には３個の開口部１０７が長手方向に並べて形成され、各開口部１０７の後端からは突出片１０８が前方へ突設してある。
【００２９】
而して、取付枠１００の後方からボディ１の前面に取着されたカバー２を窓孔１０１内に挿入するとともに、ボディ１の片側の被係止爪１２ａを側片１０３ａの係止孔に挿入した後、ボディ１の反対側を前方へ押し込むことによって、反対側の被係止爪１２ａで撓み片１０６を外側に撓ませ、突出片１０８の肩部からなる係止部１０８ａに載せるようにして開口部１０７に挿入すれば、ボディ１を取付枠１００に取り付けることができる。なお、取付枠１００の前面には化粧プレート２００が係止爪やねじなどを用いて取り付けられ、この化粧プレート２００によって造営材に設けた取付穴や取付枠１００を被蔽し、また化粧プレート２００の開口窓２０１から光コンセントＡの前部を外部に露出させるようになっている。
【００３０】
次に本実施形態の光コンセントＡの組み立てについて説明する。
【００３１】
先ずカバー２の前面部２０と側部２１，２１と取付部２３とで囲まれる収納部において、シャッターブロック８をプラグ挿入口２３ａに上方から挿入し、段部８１ａをプラグ挿入口２３ａの開口端に嵌合させ、シャッターカバー８１の上端前部を、前面部２０の裏面に突設した支持リブ２６の下部に形成した段部２６ａに係止させる。さらに、アダプタ３のプラグ接続部３１をシャッターブロック８の上部開口８ａに対向させて各開口端同士が当接するように配置し、支持リブ２６をハウジング３０の前面に当接させる。この状態で押さえ金具４の傾斜片４２をシャッターカバー８１の後面上端に当接させて、さらに当接片４０をハウジング３０の後面に当接させるとともに、各脚片２２の内側面に押さえ金具４の支持片４１を当接させた後、脚片２２の挿通孔２２ｂに通したねじ２７を支持片４１のねじ孔４４に螺入することで、押さえ金具４をカバー２に固定し、押さえ金具４とカバー２との間にアダプタ３、シャッターブロック８を挟持する。この時、各支持片４１の先端部は、各脚片２２の係合爪２２ａが突設された部位の裏側部に配置されるので、側部２１，２１を内側に押圧する力を、金属材料からなる押さえ金具４の支持片４１，４１で受けることができる。
【００３２】
次にカバー２をボディ１に組み付けるに当たっては、ボディ１の軸受部１３の下面側に、ばね体２９の中央部２９ａの中央片を係止させるとともに、軸受凹部１３ａの両端に形成した凹部（図示せず）にばね体２９の両端の捻り部２９ｂ，２９ｂを嵌め込み、軸受凹部１３ａの両端と捻り部２９ｂ，２９ｂの透孔とを連通させる。そして、カバー２の軸保持部２４，２４間に軸受部１３を介在させるようにボディ１の前面側にカバー２を配置して、一方の軸保持部２４の軸孔２４ａ、一方の捻り部２９ｂの透孔、軸受部１３の軸受凹部１３ａ、他方の捻り部２９ｂの透孔、他方の軸保持部２４の軸孔２４ａに心棒２８を挿入する。なお、心棒２８は挿入側の一端部から他端部近くまでの直径を、軸孔２４ａおよび軸受凹部１３ａの内径よりもやや細い直径とすることで挿通を可能にしているが、他端部２８ａの直径を軸孔２４ａの内径よりも太い径に形成するとともに外面にローレット加工を施しており、この他端部２８ａが最終的に軸孔２４ａに圧入されることで心棒２８がボディ１に固定される。
【００３３】
このとき、ばね体２９の捻り部２９ｂ，２９ｂから延長形成された延長部２９ｃ，２９ｃがカバー２の前面部２０の背面に弾接して、カバー２を前方方向（図６中の右回りの回転方向）に回動させる付勢力を与えるようになっている。つまり、カバー２は、上端部がボディ１に対して心棒２８を中心に回動自在に枢支されており、ばね体２９によって下端側がボディ１の前面部より前方方向へ回動する付勢力が与えられている。
【００３４】
その後、ボディ１の背部１１ｄに後方から張力止め具５を近付けて、ボディ１の弾性係止片１８，１８を張力止め具５の貫通孔５５，５５内に挿入して、主部５１の背面側に突出させ、各弾性係止片１８の先端の係止爪１８ａを貫通孔５５の孔縁に引掛係止させることで、張力止め具５をボディ１に装着する。
【００３５】
以上のようにカバー２にアダプタ３、シャッターブロック８を装着し、このカバー２をボディ１に取り付けるとともに、ボディ１の背面側に張力止め具５を装着することで光コンセントＡの組立が完了する。図３及び図６（ａ）は、ばね体２９の付勢力に抗してカバー２を図６中左回りに回転させ、カバー２の下端の係止突片２０ａを可撓片１５ａの弾性力を利用して係止孔１５ｂに係止させた状態を示しており、このときカバー２は前面部２０の前面をボディ１の前面（突出部１４および押しボタン１５の前面）と略同一高さとした状態に保持され、前面部２０の背方に取り付けたアダプタ３、シャッターブロック８はボディ１の内部に収納された収納状態となる（この状態が非使用状態となる。）。
【００３６】
そして、この非使用状態においてボディ１の前面に露出する押しボタン１５を下向き加減に押操作すると、可撓片１５ａの前側部分が下側に撓んで、係止突片２０ａの先端が係止孔１５ｂから離脱し、カバー２がばね体２９の付勢力を受けて心棒２８を中心に図６中右回りに回転する。カバー２の下端部が前方へ回動すると、カバー２の両脚片２２に設けた係合爪２２ａが、ボディ１の左右の周壁１１ａの内側面に設けたリブ１６の後端と係止することで、カバー２の前方方向への回転が規制されて、上端部から下端部にかけて前面部２０が下り傾斜するようにボディ１の前部より前方へ突出することになり、前面部２０の下端部とボディ１の前部との間からプラグ挿入口２３ａが外部に臨むことになる。この突出状態がプラグ接続を行う使用状態となり、この状態ではカバー２に装着された押さえ金具４の係止突片４５が可撓片１５ａの係止孔１５ｂに係入し、係止突片４５が係止孔１５ｂの後縁に係止することで、カバー２の後方への回転が規制されて、カバー２が前方に突出した状態を保持する（図５、図６（ｂ）参照）。
【００３７】
この使用状態において、室内側の通信設備からの光ファイバケーブルの先端に接続されたＳＣ形のプラグをプラグ挿入口２３ａに挿入すると、プラグによってシャッターブロック８の保護扉８２，８２が開けられて、シャッターカバー８１内を介してプラグ接続部３１にＳＣ形のプラグが接続される。この時、アダプタ３のプラグ接続部３２に接続されたＭＵ形のプラグと、プラグ接続部３１に接続されたＳＣ形のプラグとがＰＣ接続され、２つの光ファイバケーブルの間が光学的に結合される。
【００３８】
さらに、この使用状態から押しボタン１５を下向き加減に押操作して、可撓片１５ａの前側部分を下側に撓ませると、押さえ金具４の係止突片４５が係止孔１５ｂから離脱する。そして係止突片４５と係止孔１５ｂとの係止状態が外れた状態で、カバー２の下側部をばね体２９の付勢力に抗して後方（ボディ１の前部側）へ押圧し、心棒２８を中心に図６中左回りに回転させると、カバー２がボディ１の開口１ａ内に収納される。このとき、カバー２の下端の係止突片２０ａが可撓片１５ａの弾性力を利用して係止孔１５ｂに係止することで、カバー２の前面部２０の前面がボディ１の前面と略同一高さとなり、前面部２０の背方に取り付けたアダプタ３、シャッターブロック８がボディ１の内部に収納された収納状態となる。ここに、ばね体２９と押しボタン１５を有する可撓片１５ａとでカバー２およびアダプタ３およびシャッターブロック８をポップアップさせるポップアップ機構が構成される。
【００３９】
次に本実施形態の光コンセントＡを、造営構造物を構成する壁パネルやコンクリート壁のような壁の室内側に開口するよう、壁に埋設した埋込ボックス（図示せず）からなる取付穴に配設する施工について説明する。
【００４０】
まず、ボディ１の背部１１ｄに装着された張力止め具５を後側に引っ張ることで、係止爪１８ａと貫通孔５５との係止状態を解除させ、張力止め具５をボディ１から取り外す。そして、取付枠１００の窓孔１０１に背方からカバー２の前面部２０を嵌め込み、ボディ１の一方の被係止爪１２ａを側片１０３ａの係止孔に挿入した後、ボディ１の他方の被係止爪１２ａを側片１０３ｂの係止部１０８ａに挿入することによって、ボディ１を取付枠１００に取り付ける。
【００４１】
次に、造営構造物の内側（壁パネルの場合には壁パネルの裏側の壁内、コンクリート壁の場合にはコンクリート壁内）に先行配線され、壁に埋設された埋込ボックス内に導入されている光ファイバケーブルＢの先端に接続されたプラグ（図示せず）をボディ１の上側の周壁１１ｂに設けた切欠１１ｆを通してボディ１内に挿入し、カバー２に保持されたアダプタ３のプラグ接続部３２に差し込んで、アダプタ３に接続する。
【００４２】
光ファイバケーブルＢの先端に接続されたプラグをアダプタ３に接続した後、ボディ１の背部に張力止め具５を装着し、ボディ１から斜め上向きに引き出された光ファイバケーブルＢを張力止め具５のガイド部５２に沿わせて下向きに配線し、何れかの引掛突起５３に半周だけ巻付けて上方に導出する（図８参照）。このとき、引掛突起５３の下側の円周面に突設された舌片５３ａに光ファイバケーブルＢが引っ掛かることで、光ファイバケーブルＢの脱落を防止できるようになっている。そして、アダプタ３の装着後、光コンセントＡの背部を埋込ボックス内に収納し、取付枠１００の上下の側片１０２に設けた長孔１０４を利用して埋込ボックスにねじ固定し、取付枠１００の前面側に係止爪やねじなどで化粧プレート２００を取り付け、化粧プレート２００の開口窓２０１から光コンセントＡの前部を外部に露出させて施工を完了する。
【００４３】
ここで、従来は光コンセントＡまでの距離が現場毎に異なるため、施工現場にて先行配線された光ファイバケーブルＢを切断して、その先端にプラグを接続する作業が必要であったが、切断作業やプラグの接続作業を行うために高価な専用工具を用意しなければならず、また作業に熟練を要するという問題があった。そこで、光ファイバを螺旋状に形成することで伸縮性を持たせ、その先端に予めプラグが接続されている光カールコードを先行配線に用いることが望まれており、このような光カールコードを用いた場合は、光コンセントＡの設置位置までの距離に合わせて光カールコードを伸長させることで、施工現場での光ファイバケーブルＢの切断作業、およびコネクタの接続作業が不要になり、また取付後に光カールコードが縮むことで光ファイバケーブルＢの余長処理も不要になる。ここで、光カールコードは先行配線に用いる場合など狭い配管内を通すことがあるので、先端に接続するプラグには、室内側の通信設備で使用されるＳＣ形のプラグに比べて小型のＭＵ形のプラグを用いているが、本実施形態の光コンセントＡでは、アダプタ３が種類の異なるプラグ同士を光学的に結合する機能を有しており、室内側の通信設備からの光ファイバケーブルに接続されたＳＣ形のプラグと、屋外から引き込まれた光ファイバケーブルに接続されたＭＵ形のプラグの間を光学的に結合した状態で保持するものであるから、先行配線にＭＵ形のプラグが予め接続されている光カールコードを用いることができ、施工現場での光ファイバケーブルの切断作業やプラグの接続作業を無くすことで、高価な専用工具を用意する必要が無くなり、また熟練を要する作業も無くなるので、施工作業の作業性を向上させることができた。
【００４４】
また、施工後は光カールコードが光コンセントまでの距離に合わせて縮むため、光ファイバケーブルの余長処理が不要になって、施工性がさらに向上し、且つ、光カールコードをガイド部５２に沿わせて下向きに配線した後、引掛突起５３に半周だけ巻付けてから上側に導出することで、光ファイバケーブルＢに加わる張力を引掛突起５３で受けることができるから、光ファイバケーブルＢの先端に設けたプラグがアダプタ３から抜けるのを防止できる。
【００４５】
なお、光ファイバケーブルＢを引掛突起５３にもう１周巻付けてから上側に導出するようにしても良く、張力止めの効果をさらに高めることができる。また、引掛突起５３は張力止め具５の主部５１の上側部に左右方向に並べて３個形成されているので、配線ダクトの埋込ボックスへの取付位置などに合わせて最適な引掛突起５３を選んで光ファイバケーブルＢを巻付けることができる。なお、引掛突起５３の半径やガイド部５２の曲率半径、および、ガイド部５２から引掛突起５３までの距離などの寸法は、光ファイバケーブルＢをどの方向に通して巻付けたとしても、光ファイバケーブルＢの曲げ半径が最小許容曲げ半径以上となるような寸法に設定してある。また、張力止め部の形態は上記のものに限定されるものではなく、光ファイバケーブルＢを引掛係止して張力止めを行えるのであれば、その形状は問わない。
【００４６】
（実施形態２）
本発明の実施形態２を図１１〜図１４に基づいて説明する。尚、実施形態２の説明では特に断りが無い限り、図１３（ａ）に示す向きにおいて上下左右の方向を規定し、同図（ａ）中の正面を前面とする。したがって、同図（ｂ）における右端は後端となる。
【００４７】
本実施形態の光コンセントＡ’は、造営構造物を構成する壁の室内側の表面に露設される露設形のコンセントであり、シャッターブロック８と、アダプタ９と、シャッターブロック８およびアダプタ９を保持するとともに造営構造物に設置される合成樹脂製のボディ６と、シャッターブロック８およびアダプタ９を覆うようにしてボディ６に被着される合成樹脂製のカバー７とを主要な構成として備え、ボディ６とカバー７とで略箱形のアウトレットボックス（外郭）が構成される。すなわちアウトレットボックス内にシャッターブロック８とアダプタ９とが収納される。
【００４８】
シャッターブロック８は、実施形態１で説明したものと共通の構成を有しており、図９，図１０に示すように、上下方向を開口した略函状に形成されたシャッターカバー８１と、シャッターカバー８１の内部空間に取り付けられて開口を開閉自在に閉塞する保護扉８２，８２と、開口を閉じる方向へ保護扉８２を弾性付勢する復帰ばね８３，８３とから構成される。
【００４９】
アダプタ９は、Ｆ０４形（所謂ＳＣ形）光ファイバコネクタ（ＪＩＳ  Ｃ  ５９７３参照）のプラグ（第１のプラグ）が接続される角筒状のプラグ接続部９１と、このプラグ接続部９１の一端側から延長形成されて、同じくＳＣ形光ファイバコネクタのプラグ（第２のプラグ）が接続される角筒状のプラグ接続部９２とを備えたハウジング９０を有する汎用のアダプタであり、ハウジング９０の略中央の左右両側面からは鍔９３，９３が側方に突出している。そして、ハウジング９０の内部には、プラグ接続部９１に接続されるＳＣ形プラグのフェルールと、プラグ接続部９２に接続されるＳＣ形プラグのフェルールとを整列させた状態で保持し、両フェルールを光学的に接続する従来周知のスリーブ（図示せず）が納装されている。このスリーブは、両フェルールをＰＣ（Physical Contact）接続することによって光ファイバ同士を密着させ、低損失で光学的に接続するようになっている。すなわち、通信設備で一般的に使用されるＳＣ形のプラグ同士を光学的に結合した状態で保持する機能を有している。すなわち、アダプタ９は、造営構造物の室内側にある通信設備からの光ファイバケーブルに接続された汎用のＳＣ形プラグを後述のプラグ挿入口６２ｂを通してプラグ接続部９１に接続するとともに、屋外から引き込まれて造営構造物の表面にモールなどを用いて露出配線された光ファイバケーブルに接続されているＳＣ形プラグをプラグ接続部９２に接続することができる。
【００５０】
プラグ接続部９１，９２の各一側面には切欠き９１ａ，９２ａが設けられており、プラグ挿入時にはＳＣ形プラグの一側面に設けた突起状のキー部が嵌合する。ここで図１４に示すように、プラグ接続部９１へのＳＣ形プラグＰの挿入時には、プラグＰの一側面に設けた突起状のキー部Ｐ１を切欠き９１ａに合わせ、キー部Ｐ１を切欠き９１ａに嵌合させる。ここで、図１５に示すような平板状の扉部８２ｅを有する保護扉８２の場合、プラグＰをプラグ接続部９１から抜くときにプラグＰのキー部Ｐ１の端面が扉部８２ｅの端部に引っ掛かるという不具合が生じる。しかし、本実施形態では、プラグＰが摺動する保護扉８２の面に凸状の山部８２ａを設けているので、プラグ挿入時には山部８２ａの頂点がプラグＰの外周に当接することで、図１５の平板状の扉部８２ｅに比べて山部８２ａの高さだけ保護扉８２の回動角度が大きくなり、図１４（ｂ）に示すように、プラグＰのキー部Ｐ１の端部が中央部８２ｂの斜面８２ｄに当接して摺動可能となるので、プラグＰを引っ掛かることなくプラグ接続部９１から抜くことができる。
【００５１】
カバー７はボディ６の前面に対向配置される縦長の主部７１を有し、この主部７１の上側および左右両側の３辺からは後方に向かって周部７２が一体に延出しており、後面および下面が開口した略箱形に形成されている。主部７１の略下半分は前方に膨出しており、下側部の背面にはボディ６側に突出する突条７３が左右方向に並べて２個並設されている。また、左右両側の周部７２の後縁からは、内側（左右方向における中心方向）に向かって係止片７４が突出しており、各係止片７４の前面の下端部には係止突起７４ａが突設されている。さらに、上側の周部７２の後縁からは、下方に向かって嵌合片７５が左右方向に並べて２つ並設されている。
【００５２】
一方、ボディ６は縦長の矩形板状の主部６１を有しており、主部６１の下側辺からは前方に突出する縦壁６２が一体に立設され、下側辺を除く３辺からは縦壁６２よりも突出量の小さい側部６１ａが前方に延出している。主部６１の上下方向略中央には一対のねじ挿通孔６９，６９が貫設されており、ねじ挿通孔６９にタッピングねじのような固定ねじ（図示せず）を挿通して、造営構造物を構成する壁パネルなどにねじ込むことによって、ボディ６を造営構造物にねじ固定できるようになっている。また、左右両側の側部６１ａの下半分は、上半分よりも幅広に形成されており、この幅広部６１ｂ，６１ｂの内側縁（ボディ６の左右方向中央部に近い側）からは前方に突出するガイド壁６８，６８が一体に延出形成され、各ガイド壁６８，６８の下側部の前縁からは外側に向かって係止片６８ａ，６８ａが突設されている。さらに、主部６１の上端略中央には、光ファイバケーブルを引き込むための矩形の切欠き６１ｃが形成され、切欠き６１ｃの下端から下方には前方に傾斜したケーブル導入部６１ｄが形成されている。また、切欠き６１ｃの左右両側には、前方向に突出した突部６６が設けられ、突部６６の上面には凹部（図示なし）が形成されている。また、左右両側の側部６１ａの上部では、当接片６７が内側に向かって突出している。
【００５３】
而して、ボディ６にカバー７を取り付ける際には、ボディ６の主部６１に、カバー７を上側から下側へスライドさせて被せると、カバー７の左右両側の周部７２に設けた係止片７４がボディ６の主部６１と係止片６８ａとの間に挿入され、カバー７の下側縁が縦壁６２の周部に当接する位置までカバー７をスライド移動させると、係止片７４の係止突起７４ａが係止片６８ａの後面に設けた突起６８ｂを乗り越え、係止突起７４ａが突起６８ｂと係止することでカバー７の抜けが防止される。この時、カバー７の突条７３の下端部が縦壁６２に当接し、さらに嵌合片７５が突部６６の上面の凹部に嵌合することで、カバー７の下側への移動が規制される。またカバー７の係止片７４が、ボディ６のガイド壁６８および係止片６８ａと当接し、カバー７の左右両側の周部７２の上部内面が当接片６７に当接することで、カバー７の前後方向および左右方向への移動が規制される。なお、カバー７を取り外す際には、カバー７を上側にスライド移動させると、係止突起７ａと突起６８ｂとの係止状態が外れるので、カバー７をボディ６から容易に取り外すことができる。
【００５４】
また、主部６１の前面の略下半分には、アダプタ３の後面と当接する３本の突条６３が長手方向に沿って形成されており、３本の突条６３を挟んだ左右両側部にはプラグ接続部９２の左右両側面をガイドする一対のガイド片６４ａ，６４ａと、プラグ接続部９１の左右両側面をガイドする一対のガイド片６４ｂ，６４ｂとが上下に間隔を空けて突設されている。ガイド片６４ａ，６４ｂの間の隙間はアダプタ９の鍔９３が嵌る溝６５となり、下側のガイド片６４ｂ，６４ｂの対向面先端部には、プラグ接続部９１の前面側の角に引掛係止する爪６４ｃ，６４ｃが突設されている。
【００５５】
而して、シャッターブロック８の段部８１ａをプラグ挿入口６２ａの開口端に嵌合させ、アダプタ９のプラグ接続部９１がシャッターブロック８の上部開口８ａに対向するようにアダプタ９の向きを合わせて、アダプタ９の鍔９３が溝６５内に挿入されるようにしてアダプタ９を主部６１に近付けると、プラグ接続部９２，９１の左右両側面にそれぞれガイド片６４ａ，６４ｂが当接し、プラグ接続部９１の角部にガイド片６４ｂの爪６４ｃが引掛係止することによってアダプタ９がボディ６に取着される。このとき、アダプタ９のプラグ接続部９１はシャッターブロック８の上部開口８ａに対向して各開口端同士が当接して配置される。そして、カバー７をボディ６に取り付けると、主部７１の裏面に突設した突条７３がハウジング９０の前面に当接し、さらにはシャッターカバー８１の上端前部が突条７３の下部に形成した段部７３ａに係止する。すなわち、突条７３によって、アダプタ９にプラグが挿入された後に光ファイバケーブルが引っ張られた場合でも、シャッターブロック８、アダプタ９が外れることを防止しているのである。
【００５６】
ここで、縦壁６２はシャッターブロック８を介してプラグ接続部９１に対向しており、縦壁６２の略中央には、造営構造物の室内側の通信設備からの光ファイバケーブルの先端に設けられたＳＣ形のプラグが挿入されるプラグ挿入口６２ａが開口している。このプラグ挿入口６２ａは、シャッターブロック８の下部開口８ｂを介して保護扉８２，８２によって開閉自在に閉塞されており、プラグ未挿入時にはプラグ接続部９１から外部へのレーザ光の漏出を保護扉８２，８２で防止している。なおアダプタ９を取り外す際には、ガイド片６４ｂの先端部を外側に押して爪６４ｃの係止を解除すれば、アダプタ９をボディ６から容易に取り外すことができる。
【００５７】
以上のような構成の光コンセントＡ’を造営構造物を構成する壁に施工するに当たっては、先ずボディ６の挿通孔６９，６９にタッピングねじのような固定ねじを挿通し、造営構造物（例えば石膏ボードよりなる壁）に螺入することによってボディ６を造営構造物に固定する。次に、屋外から引き込まれた光ファイバケーブルを造営構造物（壁）の表面に露出配線し、この光ファイバケーブルの先端に予め接続されているＳＣ形のプラグ（第２のプラグ）をアダプタ９のプラグ接続部９２に接続する。その後、シャッターブロック８を縦壁６２上に配置して段部８１ａをプラグ挿入口６２ａの開口端に嵌合させ、切欠き６１ｃに光ファイバケーブルを通した状態で、アダプタ９の鍔９３が溝６５内に嵌るようにして、プラグ接続部９２をガイド片６４ａ，６４ａ間に挿入するとともに、プラグ接続部９１をガイド片６４ｂ，６４ｂ間に挿入し、プラグ接続部９１の前面側の角にガイド片６４ｂの爪６４ｃを引掛係止させることで、アダプタ９をボディ６に保持させる。そして、ボディ６の主部６１に、カバー７を上側から下側へスライドさせて被せると、カバー７の係止片７４がボディ６の主部６１と係止片６８ａとの間に挿入され、カバー７の下側縁が縦壁６２の周部に当接する位置までカバー７をスライド移動させると、係止片７４の係止突起７４ａが係止片６８ａの突起６８ｂと係止することでカバー７がボディ６に装着される。
【００５８】
この組立完了状態において、アダプタ９のプラグ接続部９１はシャッターブロック８を介して縦壁６２のプラグ挿入口６２ａと対向配置され、室内側の通信設備からの光ファイバケーブルの先端に接続されたＳＣ形のプラグをプラグ挿入口６２ａに挿入すると、プラグによってシャッターブロック８の保護扉８２，８２が開けられて、シャッターカバー８１内を介してプラグ接続部９１にＳＣ形のプラグが接続される。この時、アダプタ９によりＳＣ形のプラグ同士がＰＣ接続され、２つの光ファイバケーブルの間が光学的に結合される。
【００５９】
また、上記実施形態１，２ではアダプタとして、ＭＵ形のプラグとＳＣ形のプラグと光学的に接続するＭＵ−ＳＣ変換アダプタ３、あるいはＳＣ形のプラグとＳＣ形のプラグと光学的に接続するＭＵ−ＳＣ中継アダプタ９を用いているが、プラグの種類によって、ＭＴ形のプラグとＲＪ形のプラグと光学的に接続するＭＴ−ＲＪ変換アダプタ３００（図１６（ａ））、ＬＣ形のプラグとＬＣ形のプラグと光学的に接続するＬＣ−ＬＣ中継アダプタ３０１（図１６（ｂ））、簡易プラグとＳＣ形のプラグと光学的に接続する簡易プラグ−ＳＣ変換アダプタ３０２（図１６（ｃ））、ＭＵ形のプラグとＭＵ形のプラグと光学的に接続するＭＵ−ＭＵ中継アダプタ３０３（図１６（ｄ））、ＳＭＩ形のプラグとＳＭＩ形のプラグと光学的に接続するＳＭＩ−ＳＭＩ中継アダプタ３０４（図１６（ｅ））等の汎用アダプタを用いればよい。
【図面の簡単な説明】
【００６０】
【図１】実施形態１の光コンセントを後方から見た分解斜視図である。
【図２】同上を前方から見た分解斜視図である。
【図３】同上のカバーが閉じた状態を示し、（ａ）は正面図、（ｂ）は左側面図、（ｃ）は上面図、（ｄ）は下面図である。
【図４】同上の背面図である。
【図５】同上のカバーを開けた状態を示し、（ａ）は正面図、（ｂ）は左側面図、（ｃ）は上面図、（ｄ）は下面図である。
【図６】同上を示し、（ａ）はカバーを閉じた状態の断面図、（ｂ）はカバーを開けた状態の断面図である。
【図７】同上の施工前の状態を説明する分解斜視図である。
【図８】同上を後方から見た外観斜視図である。
【図９】同上のシャッターブロックの構成を示し、（ａ）は下方から見た分解斜視図、（ｂ）は下方から見た全体斜視図である。
【図１０】同上のシャッターブロックの構成を示し、（ａ）は上方から見た分解斜視図、（ｂ）は上方から見た全体斜視図である。
【図１１】実施形態２の光コンセントを前方から見た分解斜視図である。
【図１２】同上を後方から見た分解斜視図である。
【図１３】同上の平面図を示し、（ａ）は正面図、（ｂ）は右側面図、（ｃ）は側面断面図、（ｄ）は上面図、（ｅ）は下面図である。
【図１４】同上のプラグ脱着状態を示す図であり、（ａ）はプラグ挿入前、（ｂ）はプラグ挿入時である。
【図１５】従来のプラグ脱着状態を示す図であり、（ａ）はプラグ挿入前、（ｂ）はプラグ挿入時である。
【図１６】（ａ）〜（ｅ）は他の汎用アダプタの斜視図を示す。
【符号の説明】
【００６１】
Ａ  光コンセント
１  ボディ
１ａ  開口
２  カバー
３  アダプタ
８  シャッターブロック
８２  保護扉
８３  復帰ばね
【図１】
2006106635.tif 000003
【図２】
2006106635.tif 000004
【図３】
2006106635.tif 000005
【図４】
2006106635.tif 000006
【図５】
2006106635.tif 000007
【図６】
2006106635.tif 000008
【図７】
2006106635.tif 000009
【図８】
2006106635.tif 000010
【図９】
2006106635.tif 000011
【図１０】
2006106635.tif 000012
【図１１】
2006106635.tif 000013
【図１２】
2006106635.tif 000014
【図１３】
2006106635.tif 000015
【図１４】
2006106635.tif 000016
【図１５】
2006106635.tif 000017
【図１６】
2006106635.tif 000018